(57)【特許請求の範囲】
【請求項１】
ランプと、当該ランプからの光の被照射面による反射光の明るさを検出する明るさセンサと、明るさセンサの検出した明るさの検出値が所定の閾値よりも明るい場合は前記ランプの光出力を暗くする調光信号を出力するとともに、前記明るさの検出値が前記閾値よりも暗い場合は前記ランプの光出力を明るくする調光信号を出力する制御部と、前記調光信号に応じて前記ランプを調光点灯させる点灯回路と、ネットワークを介して通信を行う通信部とをそれぞれ備えた複数台の照明装置、および、前記複数台の照明装置がネットワークを介して接続された親機で構成され、各照明装置による明るさの制御動作に、前記明るさセンサが反射光の明るさを検出する計測動作と、前記明るさの検出値を前記閾値と比較して両者が異なっている場合に前記ランプの光出力を補正する補正動作とを設け、計測動作を行う計測期間と補正動作を行う補正期間の内、補正期間の時間帯を全ての照明装置で同じ時間帯とするとともに、親機から計測期間の同期をとるための同期コマンドを各照明装置に送信し、各照明装置は、通信部が同期コマンドを受信すると計測期間を開始することを特徴とする照明システム。
【請求項２】
前記親機が同期コマンドを送信するタイミングは、前記親機で補正期間にかかる時間の限時が終了した時点、又は、前記親機で全ての照明装置の補正期間が完了したことを確認した時点の何れかであることを特徴とする請求項１記載の照明システム。
【請求項３】
補正動作が終了した時点から次に前記同期コマンドを受信するまでの間に、前記明るさセンサにより反射光の明るさを検出し、その検出値が前記閾値と異なっている場合は前記制御部が前記ランプの光出力を補正する補正監視期間を設けたことを特徴とする請求項１又は２記載の照明システム。
【請求項４】
前記親機は各照明装置のランプの光出力を監視し、光出力が最も明るい照明装置と最も暗い照明装置との光出力の差が所定の基準値よりも大きい場合は、光出力を同じレベルに揃えるための明るさ指令信号を各照明装置に送信し、各照明装置の制御部は、通信部が受信した明るさ指令信号に基づいて前記ランプの光出力を制御することを特徴とする請求項１記載の照明システム。
【請求項５】
前記親機が明るさ指令信号を送信するタイミングは、外光がなくなった時点、又は、所定の時間間隔が経過した時点の何れかであることを特徴とする請求項４記載の照明システム。
【請求項６】
前記親機は、全ての照明装置を複数のグループにグループ分けして、一部のグループに属する照明装置のみに明るさ指令信号を送信することを特徴とする請求項４又は５記載の照明システム。
【請求項７】
前記明るさ指令信号によって揃えるレベルは、各照明装置のランプの光出力の平均値、光出力が最も明るい照明装置の光出力、又は光出力が最も暗い照明装置の光出力の内の何れかであることを特徴とする請求項４乃至６の何れか１つに記載の照明システム。
【請求項８】
前記親機は、全ての照明装置を複数のグループにグループ分けし、前記明るさ指令信号を送信するタイミングに応じて、明るさ指令信号を送信するグループおよび明るさ指令信号によって揃えるレベルを変更することを特徴とする請求項４乃至７の何れか１つに記載の照明システム。
【発明の詳細な説明】
【０００１】
【発明の属する技術分野】
本発明は、被照射面の照度が略一定となるように複数の照明装置の光出力を制御する照明システムに関するものである。
【０００２】
【従来の技術】
図１０に従来の照明装置のブロック図を示す（例えば特開平１１−７４０８７号公報参照）。この照明装置１０は制御ブロック１１と器具ブロック１４とで構成され、器具ブロック１４は、部屋の天井に設置されるランプ１６と、制御ブロック１１から入力される調光信号に応じた光出力でランプ１６を調光点灯する点灯回路１５とで構成される。また、制御ブロック１１は、ランプ１６から放射された光の被照射面による反射光を受光して、反射光（すなわち被照射面）の明るさを検出する明るさセンサ１２と、明るさセンサ１２の検出した明るさが所定の閾値よりも暗い場合はランプ１６の光出力を明るくするような調光信号を点灯回路１５に出力するとともに、所定の閾値よりも明るい場合はランプ１６の光出力を暗くするような調光信号を点灯回路１５に出力する制御部１３とで構成される。
【０００３】
図１１はこの照明装置１０の設置状態を示しており、制御ブロック１１および点灯回路１５を内部に収納した照明装置本体１９とランプ１６，１６とが天井面に設置されている。このように照明装置１０が１つだけ設置されている場合は、明るさセンサ１２が検知エリアにおける反射光の明るさを検出し、その明るさが略一定の明るさとなるように制御部１３がランプ１６の光出力を調整しているため、被照射面の平均照度（下面照度）が略一定に制御され、また天井面の輝度もこの照明装置１０の照明範囲では略均一に制御されていた。
【０００４】
【発明が解決しようとする課題】
上記構成の照明装置１０が１つのフロアに複数台設置されている場合、以下に説明するような現象が発生する。先ず、複数台の照明装置１０の初期の明るさ設定方法を図１２に基づいて説明する。１つのフロアに例えば３台の照明装置１０ａ〜１０ｃが存在する場合のフロア全体の明るさ設定は、それぞれの照明空間（ゾーン）Ａ〜Ｃの照明環境に隣接する他の照明装置の発光が少なからず影響するので、フロア内にある全ての照明装置１０ａ〜１０ｃを同じ光出力で一斉に点灯させた状態で、被照射面の照度を照度計３０で確認しながら、被照射面の照度が略一定になるように各照明装置１０ａ〜１０ｃの光出力を微調整する。そして、所望の照度が得られたところで各照明装置１０ａ〜１０ｃの光出力を設定することにより、フロア全体の明るさを設定している。したがって、初期状態では被照射面の照度は略一定であり、また天井面の輝度も略均一に設定できる。
【０００５】
ところで、上述した照明装置１０ａ…に人感センサを付加し、人の有無に応じてランプ１６を点滅させるような場合や、窓際に設置された照明装置１０ａ…の照明空間（ゾーン）Ａ〜Ｃに外光が入射してきたような場合には、以下に説明するような理由で天井面の輝度がばらつき始めるという問題があった。
【０００６】
図１３は個々の照明装置１０ａ…の制御動作を説明するタイムチャートであり、各照明装置１０では、電源投入後の計測期間Ｔ１において自己の明るさセンサ１２により被照射面の明るさを検出し、補正期間Ｔ２において制御部１３が明るさセンサ１２の検出した明るさと所定の閾値とを比較して、検出した明るさが所定の閾値となるようにランプ１６の光出力を制御している。なお、制御部１３は一定の時間間隔で計測期間Ｔ１を設け、計測期間Ｔ１で検出した明るさが閾値と異なっている場合は補正期間Ｔ２を設けて、光出力を補正している。
【０００７】
１つのフロアに複数台の照明装置１０ａ…が設置されているような場合には、個々の照明装置１０ａ…が上述のような制御動作をばらばらに行っているため、ある照明装置１０ａ…が計測動作を行う間に、隣接する別の照明装置が補正動作を行って、ランプ１６の光出力を変化させていると（例えば明るくさせると）、計測中の照明装置１０ａ…の照明空間における明るさが変化するので（明るくなるので）、その後の補正期間において検知エリアの明るさの変化を打ち消すように（暗くなるように）ランプ１６の光出力を変化させている。そして、このような動作が繰り返されることで、それぞれの照明装置１０ａ…の照明空間における被照射面の平均照度は略一定に制御されるが、天井面の輝度はばらつき始めるのである。
【０００８】
上記の問題点を３台の照明装置１０ａ〜１０ｃが隣接して設置された場合を例にして具体的に説明する（図１４及び図１５参照）。各照明装置１０ａ〜１０ｃの光出力を設定してから、外光が全くなく、被照射面の状況も全く変化していない状況では、各照明装置１０ａ〜１０ｃの明るさセンサ１２が検出した明るさも変動せず、ランプ１６の光出力も一定のままなので、問題はない。
【０００９】
一方、各照明装置１０ａ〜１０ｃの照明空間（ゾーン）Ａ〜Ｃの内で、外光が入射する箇所と入射しない箇所とが存在する場合は、計測期間Ｔ１の後の補正期間Ｔ２において光出力を補正する装置と補正しない装置とが存在する。例えば中央に位置する照明装置１０ｂの照明空間Ｂのみに外光が入射した場合、計測期間Ｔ１の後の補正期間Ｔ２において照明装置１０ｂは光出力の補正を行うが、他の照明装置１０ａ，１０ｂは光出力の補正を行わず、計測期間Ｔ１を再度設けて明るさの検出を行う。
【００１０】
照明装置１０ｂが外光の影響を受けてランプ１６の光出力を変化させると、その影響を受けて他の照明装置１０ａ，１０ｃの明るさセンサ１２が検出する明るさが変化し、その検出結果が所定の閾値からずれるため、照明装置１０ｂ，１０ｃでは、その後の補正期間Ｔ２で、明るさセンサ１２の検出した明るさが閾値に一致するように光出力を変化させる。
【００１１】
以上のような動作を続けることで、図１４に示すように、外光がなくなっても各照明装置１０ａ…で補正期間Ｔ２がまちまちになるため、照射面の照度は一定であるが、天井面の輝度（すなわち各照明装置１０ａ…のランプ１６の輝度）にばらつきが発生し、使用者が違和感を感じるという問題があった。
【００１２】
本発明は上記問題点に鑑みて為されたものであり、その目的とするところは、複数台の照明装置の被照射面の照度を略一定に保つとともに、天井面の輝度のばらつきを少なくした照明システムを提供することにある。
【００１３】
【課題を解決するための手段】
上記目的を達成するために、請求項１の発明では、ランプと、当該ランプからの光の被照射面による反射光の明るさを検出する明るさセンサと、明るさセンサの検出した明るさの検出値が所定の閾値よりも明るい場合はランプの光出力を暗くする調光信号を出力するとともに、明るさの検出値が閾値よりも暗い場合はランプの光出力を明るくする調光信号を出力する制御部と、調光信号に応じてランプを調光点灯させる点灯回路と、ネットワークを介して通信を行う通信部とをそれぞれ備えた複数台の照明装置、および、前記複数台の照明装置がネットワークを介して接続された親機で構成され、各照明装置による明るさの制御動作に、明るさセンサが反射光の明るさを検出する計測動作と、明るさの検出値を閾値と比較して両者が異なっている場合にランプの光出力を補正する補正動作とを設け、計測動作を行う計測期間と補正動作を行う補正期間の内、補正期間の時間帯を全ての照明装置で同じ時間帯とするとともに、親機から計測期間の同期をとるための同期コマンドを各照明装置に送信し、各照明装置は、通信部が同期コマンドを受信すると計測期間を開始することを特徴とする。
【００１５】
請求項２の発明では、請求項１の発明において、親機が同期コマンドを送信するタイミングは、親機で補正期間にかかる時間の限時が終了した時点、又は、親機で全ての照明装置の補正期間が完了したことを確認した時点の何れかであることを特徴とする。
【００１６】
請求項３の発明では、請求項１又は２の発明において、補正動作が終了した時点から次に同期コマンドを受信するまでの間に、明るさセンサにより反射光の明るさを検出し、その検出値が閾値と異なっている場合は制御部がランプの光出力を補正する補正監視期間を設けたことを特徴とする。
【００１７】
請求項４の発明では、請求項１の発明において、親機は各照明装置のランプの光出力を監視し、光出力が最も明るい照明装置と最も暗い照明装置との光出力の差が所定の基準値よりも大きい場合は、光出力を同じレベルに揃えるための明るさ指令信号を各照明装置に送信し、各照明装置の制御部は、通信部が受信した明るさ指令信号に基づいてランプの光出力を制御することを特徴とする。
【００１８】
請求項５の発明では、請求項４の発明において、親機が明るさ指令信号を送信するタイミングは、外光がなくなった時点、又は、所定の時間間隔が経過した時点の何れかであることを特徴とする。
【００１９】
請求項６の発明では、請求項４又は５の発明において、親機は、全ての照明装置を複数のグループにグループ分けして、一部のグループに属する照明装置のみに明るさ指令信号を送信することを特徴とする。
【００２０】
請求項７の発明では、請求項４乃至６の何れか１つの発明において、明るさ指令信号によって揃えるレベルは、各照明装置のランプの光出力の平均値、光出力が最も明るい照明装置の光出力、又は光出力が最も暗い照明装置の光出力の内の何れかであることを特徴とする。
【００２１】
請求項８の発明では、請求項４乃至７の何れか１つの発明において、親機は、全ての照明装置を複数のグループにグループ分けし、明るさ指令信号を送信するタイミングに応じて、明るさ指令信号を送信するグループおよび明るさ指令信号によって揃えるレベルを変更することを特徴とする。
【００２２】
【発明の実施の形態】
（基本構成）
本発明の基本構成を図１〜図３に基づいて説明する。この照明システムは例えば建物の同じフロアに設置された複数台の照明装置１０により構成され、各照明装置１０のブロック図を図１に示す。各照明装置１０は制御ブロック１１と器具ブロック１４とで構成され、器具ブロック１４は、部屋の天井に設置されるランプ１６と、制御ブロック１１から入力される調光信号に応じた光出力でランプ１６を調光点灯する点灯回路１５とで構成される。また、制御ブロック１１は、ランプ１６から放射された光の被照射面による反射光を受光して、反射光の明るさを検出する明るさセンサ１２と、明るさセンサ１２の検出した明るさが所定の閾値よりも暗い場合はランプ１６の光出力を明るくするような調光信号を点灯回路１５に出力するとともに、所定の閾値よりも明るい場合はランプ１６の光出力を暗くするような調光信号を点灯回路１５に出力する制御部１３とで構成される。
【００２３】
ところで、上述した従来の照明装置では、所定の時間間隔で明るさセンサ１２が反射光の明るさを検出しており、この計測期間において明るさセンサ１２の検出した明るさが所定の閾値と異なっていれば、制御部１３は、その後の補正期間において明るさセンサ１２の検出した明るさが所定の閾値に一致するまでランプ１６の光出力を制御し、所定の閾値に一致すれば、計測期間に戻って周囲の明るさを検出しており、以上の動作を繰り返すことによって被照射面の照度が略一定となるように制御していた。したがって、複数台の照明装置１０で、光出力を補正する際に明るさセンサ１２の検出した明るさが所定の閾値に一致するまでの時間が異なれば、補正期間から計測期間に戻るタイミングがばらつき、それぞれの照明装置１０がばらばらに動作して、その結果、天井面の輝度がばらつくという問題がある。
【００２４】
そこで、本システムでは全ての照明装置１０が補正動作を行う期間が同じ時間帯となるように、図２（ａ）に示すように制御部１３が計測期間Ｔ１と補正期間Ｔ２とを交互に繰り返して設けており、計測期間Ｔ１および補正期間Ｔ２の時間幅を全ての照明装置１０で同じ時間幅としている。そして、各照明装置１０において補正期間Ｔ２の時間幅を設定するために、補正期間Ｔ２の時間幅の最大値Ｔｍａｘを限時するタイマ１７を制御ブロック１１に設け、計測期間Ｔ１が終了すると同時にタイマ１７のカウント動作を開始させており、タイマ１７がカウントアップした時点でどのような動作状況にあっても計測期間Ｔ１に復帰させている。また、図２（ｂ）に示すように、補正期間Ｔ２の途中で明るさセンサの検出結果を閾値と一致させる補正動作が終了した場合、その後は補正動作を行わずそのままの光出力で点灯させている。
【００２５】
この照明装置１０の動作を図３のフローチャートにしたがって説明する。先ず計測期間において明るさセンサ１２が反射光の明るさを計測した後（Ｓ１）、制御部１３は、タイマ１７による補正期間の最大時間（Ｔｍａｘ）のカウント動作を開始させ（Ｓ２）、タイマ１７がカウントアップしたか否かを判定する（Ｓ３）。そして、タイマ１７がカウントアップしていなければ、制御部１３はＳ１で明るさセンサ１２の検出した明るさが所定の閾値に等しいか否かを判定し（Ｓ４）、検出した明るさが閾値に等しければ、ランプ１６の光出力をそのままの出力とするような制御を行った後（Ｓ６）、Ｓ３に戻る。また、Ｓ４の判定の結果、検出した明るさが閾値と異なっていれば、制御部１３は明るさセンサ１２の検出した明るさが閾値に一致するように、ランプ１６の光出力を変化させる調光信号を出力した後（Ｓ５）、Ｓ３に戻る。そして、Ｓ３の判定の結果、タイマ１７がタイムアップしていれば、ランプ１６の光出力の補正が完了しているか否かに関わらずＳ１に戻って、計測期間に移行させる。
【００２６】
而して、計測期間において明るさセンサ１２の検出した明るさが閾値と異なっており、制御部１３がランプ１６の光出力を変更させている場合でも、タイマ１７がカウントアップした時点で制御部１３が補正動作を停止して、計測期間へ移行させているので、補正期間の時間幅を全ての照明装置１０で同じ時間幅とすることができる。また、補正期間の途中でランプ１６の光出力が目標値に一致した場合でも、タイマ１７がカウントアップするまで、制御部１３はその光出力でランプ１６を点灯させ続け、カウントアップした時点で計測期間へ移行させているので、補正期間の時間幅を全ての照明装置１０で同じ時間幅とすることができる。
【００２７】
以上説明したように本システムでは、全ての照明装置１０で補正期間および計測期間の時間幅を同じ時間幅にできるから、各照明装置１０で補正期間と計測期間の同期が取れ、それぞれの照明装置１０で補正期間のタイミングがばらつくことによって発生する天井面の輝度のばらつきを少なくできる。
【００２８】
（実施形態１）
本発明の実施形態１を図４及び図５に基づいて説明する。図４は本システムのブロック図であり、この照明システムは複数台（本実施形態では例えば２台）の照明装置１０ａ，１０ｂと親機２０とを信号線Ｌで接続して構成される。各照明装置１０ａ，１０ｂは基本構成で説明した照明システムと同様の構成を有しており、制御ブロック１１と器具ブロック１４とで構成され、器具ブロック１４は、部屋の天井に設置されるランプ１６と、制御ブロック１１から入力される調光信号に応じた光出力でランプ１６を調光点灯する点灯回路１５とで構成される。また、制御ブロック１１は、ランプ１６から放射された光の被照射面による反射光を受光して、反射光の明るさを検出する明るさセンサ１２と、他の照明装置との間で信号を授受する通信部１８と、明るさセンサ１２の検出した明るさが所定の閾値よりも暗い場合はランプ１６の光出力を明るくするような調光信号を点灯回路１５に出力するとともに、所定の閾値よりも明るい場合はランプ１６の光出力を暗くするような調光信号を点灯回路１５に出力し、さらに通信部１８を用いて他の照明装置や親機２０との間で信号を授受する制御部１３とで構成される。
【００２９】
以下に照明装置１０ａ…および親機２０の動作を図５のフローチャートに基づいて説明する。
【００３０】
親機２０は、全ての照明装置１０ａ…で同じ時間幅に設定された計測期間の計測時間ＴＫを限時する計測期間タイマ２１と、補正期間の時間幅の最大値Ｔｍａｘを限時する補正期間タイマ２２とを備え、先ず計測期間タイマ２１が時間ＴＫのカウント動作を行い、カウントアップすると（Ｓ１１）、補正期間タイマ２２が補正期間の最大時間Ｔｍａｘのカウント動作を行う（Ｓ１２）。そして、補正期間タイマ２２がカウントアップすると、親機２０は計測期間の同期をとるための計測期間同期コマンドを信号線Ｌを介して全ての照明装置１０ａ…に送信するとともに（Ｓ１３）、Ｓ１１に戻って計測期間タイマ２１によるカウント動作を再度開始させ、上述の処理を繰り返す。
【００３１】
次に各照明装置１０ａ…の動作を説明する。先ず計測期間において明るさセンサ１２が反射光の明るさを計測した後（Ｓ２１）、制御部１３は、明るさセンサ１２の検出した明るさと所定の閾値とを比較し（Ｓ２２）、明るさの検出値が閾値と異なっていれば、明るさの検出値に基づいて反射光の明るさが上記閾値に一致するようにランプ１６の光出力を制御する（Ｓ２３）。そして、明るさの検出値が閾値に一致すれば、制御部１３はランプ１６を同じ光出力で点灯させ続け（Ｓ２４）、計測期間同期コマンドの受信バッファを確認し（Ｓ２５）、計測期間同期コマンドを受信したか否かを判定する（Ｓ２６）。ここで、通信部１８が親機２０から送信された計測期間同期コマンドを受信すると、制御部１３は受信した計測期間同期コマンドを受信バッファに保存するようになっており、受信バッファを確認することで、計測期間同期コマンドを受信したか否かを判断できる。
【００３２】
Ｓ２６の判定の結果、計測期間同期コマンドを受信していれば、制御部１３は受信バッファをクリアするとともに、Ｓ２１に戻って上記の処理を繰り返す。一方、計測期間同期コマンドを受信していなければ、Ｓ２４に戻って制御部１３はランプ１６を同じ光出力で点灯させ続け、計測期間同期コマンドの受信を待つ。
【００３３】
このように、本実施形態の照明システムでは、親機２０から送信される計測期間同期コマンドを待って全ての照明装置１０ａ…が計測期間を開始しており、計測期間の時間幅は全ての照明装置１０ａ…で同じ時間幅に設定されているので、全ての照明装置１０ａ…で計測期間および補正期間を同期させることができ、計測期間や補正期間のタイミングがばらつくことによって発生する天井面の輝度のばらつきを小さくできる。
【００３４】
（実施形態２）
本発明の実施形態２を図６に基づいて説明する。照明システムの構成は実施形態１と同様であるので、その説明は省略し、その動作を図６のフローチャートにしたがって説明する。
【００３５】
先ず、親機２０の動作について説明する。親機２０は、システムに登録された全ての照明装置１０ａ…から送信された明るさ補正完了コマンドを保存する受信バッファを備え、この受信バッファを確認して（Ｓ１４）、登録された全ての照明装置１０ａ…から明るさ補正完了コマンドを受信したか否かを判断する（Ｓ１５）。そして、全ての照明装置１０ａ…から明るさ補正完了コマンドを受信できていない場合はＳ１４に戻って、受信バッファを再度確認する。一方、全ての照明装置１０ａ…から明るさ補正完了コマンドを受信した場合は、信号線Ｌを介して全ての照明装置１０ａ…に計測期間同期コマンドを送信した後（Ｓ１６）、受信バッファをクリアし、Ｓ１４に戻って上述の処理を繰り返す。
【００３６】
次に各照明装置１０ａ…の動作を説明する。先ず計測期間において明るさセンサ１２が反射光の明るさを計測した後（Ｓ２１）、制御部１３は、明るさセンサ１２の検出した明るさと所定の閾値とを比較し（Ｓ２２）、明るさの検出値が閾値と異なっていれば、明るさの検出値に基づいて反射光の明るさが上記閾値に一致するようにランプ１６の光出力を制御する（Ｓ２３）。そして、明るさの検出値が閾値に一致すれば、制御部１３は明るさの補正が完了したことを示す明るさ補正完了コマンドを通信部１８から親機２０に対して送信させた後（Ｓ２７）、ランプ１６を同じ光出力で点灯させ続け（Ｓ２４）、計測期間同期コマンドの受信バッファを確認し（Ｓ２５）、計測期間同期コマンドを受信したか否かを判定する（Ｓ２６）。ここで、通信部１８が親機２０から送信された計測期間同期コマンドを受信すると、制御部１３は受信した計測期間同期コマンドを受信バッファに保存するようになっており、受信バッファを確認することで、計測期間同期コマンドを受信したか否かを判断できる。
【００３７】
Ｓ２６の判定の結果、計測期間同期コマンドを受信していれば、制御部１３は受信バッファをクリアするとともに、Ｓ２１に戻って上記の処理を繰り返す。一方、計測期間同期コマンドを受信していなければ、Ｓ２４に戻って制御部１３はランプ１６を同じ光出力で点灯させ続け、計測期間同期コマンドの受信を待つ。
【００３８】
このように、本実施形態の照明システムでは、親機２０から送信される計測期間同期コマンドを待って全ての照明装置１０ａ…が計測期間を開始しており、計測期間の時間幅は全ての照明装置１０ａ…で同じ時間幅に設定されているので、全ての照明装置１０ａ…で計測期間および補正期間を同期させることができ、計測期間や補正期間のタイミングがばらつくことによって発生する天井面の輝度のばらつきを小さくできる。また、各照明装置１０ａ…は明るさの補正動作が完了すると、親機２０に対して明るさ補正完了コマンドを送信しており、親機２０は、システムに登録された全ての照明装置１０ａ…から明るさ補正完了コマンドを受信すると、全ての照明装置１０ａ…に対して計測期間同期コマンドを送信しているので、全ての照明装置１０ａ…が明るさの補正動作を完了した時点で、各照明装置１０ａ…の動作を補正動作から計測動作に切り替えることができる。
【００３９】
（実施形態３）
本発明の実施形態３を図７に基づいて説明する。照明システムの構成は実施形態１と同様であるので、その説明は省略し、その動作を図７のフローチャートにしたがって説明する。
【００４０】
上述した実施形態１では、補正期間において、計測期間に検出した明るさセンサ１２の検出値が閾値に一致するように光出力を補正すると、その後は補正期間が終了するまで光出力をそのままの出力として、親機２０から送信される同期コマンドを受信待ちしていたが、本実施形態では、補正動作を終了してから、次に親機２０からの計測期間同期コマンドを受信するまでの間に、常に明るさセンサ１２が反射光の明るさを検出し、その検出値が閾値に一致するように制御部１３がランプ１６の光出力を制御する補正監視期間を設けている。
【００４１】
図７は補正監視期間の動作を説明するフローチャートであり、補正区間において補正動作が終了すると、制御部１３は、ランプ１６を同じ光出力で点灯させ続け（Ｓ２４）、計測期間同期コマンドの受信バッファを確認して（Ｓ２５）、計測期間同期コマンドを受信したか否かを判定する（Ｓ２６）。
【００４２】
Ｓ２６の判定の結果、計測期間同期コマンドを受信していれば、制御部１３は受信バッファをクリアするとともに、Ｓ２１に戻って上記の処理を繰り返す。一方、計測期間同期コマンドを受信していなければ、明るさセンサ１２により反射光の明るさを検出して、制御部１３が、明るさセンサ１２の検出した明るさと所定の閾値とを比較し（Ｓ２８）、明るさの検出値が閾値と異なっていれば、明るさの検出値に基づいて反射光の明るさが上記閾値に一致するようにランプ１６の光出力を制御した後（Ｓ２９）、Ｓ２５に戻って上述の処理を繰り返す。また、Ｓ２８の判定の結果、明るさの検出値が閾値に一致していれば、制御部１３はＳ２４に戻って上述の処理を繰り返す。
【００４３】
このように、本実施形態では補正動作が終了した時点から次に計測期間同期コマンドを受信するまでの間に補正監視期間を設けており、補正監視期間中に隣接する照明装置１０で光出力が変更された場合に、その光出力の変化に対して常にランプ１６の光出力を補正しているので、隣接する照明装置１０の光出力の変化にランプ１６の光出力を即座に追随させることができ、照射面の照度が略一定で、天井面の輝度のばらつきが少ない状態に、できるだけ早く収束させることができる。
【００４４】
尚、実施形態２の照明システムにおいて、本実施形態と同様、補正動作を終了した時点から次に計測期間同期コマンドを受信するまでの間に、常に明るさセンサ１２が反射光の明るさを検出し、その検出値が閾値に一致するように制御部１３がランプ１６の光出力を制御する補正監視期間を設けても良く、上述と同様の効果を得ることができる。
【００４５】
（実施形態４）
本発明の実施形態４を図８及び図９に基づいて説明する。本実施形態では、上述した実施形態１の照明システムにおいて、夕方の外光が無くなる所定の時刻に全ての照明装置１０ａ…の光出力を同じレベルに一旦揃えた後に、通常の明るさ制御動作に移行させている。尚、照明システムの構成は実施形態１と同様であるので、その説明は省略し、その動作を図８のフローチャートにしたがって説明する。
【００４６】
先ず、親機２０の動作について説明する。親機２０は、１日の内で夕方の外光が無くなる所定の時刻にコマンド送信トリガを発生するタイマを内部に備え、このタイマがコマンド送信トリガを発生すると（Ｓ３１）、親機２０は、登録されている全ての照明装置１０に対して、各照明装置１０の光出力のレベルを確認する光出力確認コマンドを送信し（Ｓ３２）、各照明装置１０から光出力のレベルを示す光出力レベル返信信号が返信されるのを待つ。
【００４７】
親機２０は、全ての照明装置１０ａ…から返信される光出力レベル返信信号を保存する光出力レベル受信バッファを備え、この受信バッファを確認して（Ｓ３３）、登録された全ての照明装置１０ａ…から返信信号を受信したか否かを判断する（Ｓ３４）。そして、全ての照明装置１０ａ…から返信信号を受信できていない場合はＳ３３に戻って、受信バッファを再度確認する。一方、全ての照明装置１０ａ…から返信信号を受信した場合は、光出力の最も明るい照明装置の光出力Ｌｍａｘと、最も暗い照明装置の光出力Ｌｍｉｎとの差（Ｌｍａｘ−Ｌｍｉｎ）を演算して、この差（Ｌｍａｘ−Ｌｍｉｎ）を所定の基準値Ｔと比較する（Ｓ３５）。そして、光出力の差（Ｌｍａｘ−Ｌｍｉｎ）が所定の基準値Ｔ以上であれば、全ての照明装置１０ａ…から返信された光出力の平均値を演算し（Ｓ３６）、Ｓ３６で演算した光出力で点灯させるための光出力指令コマンド（明るさ指令信号）を全ての照明装置１０ａ…に対して送信した後（Ｓ３７）、光出力レベル返信バッファをクリアして、処理を終了する。また、光出力の差（Ｌｍａｘ−Ｌｍｉｎ）が所定の基準値Ｔよりも小さければ、光出力レベル返信バッファをクリアして、処理を終了する。
【００４８】
次に各照明装置１０ａ…の動作を説明する。先ず計測期間において明るさセンサ１２が反射光の明るさを計測した後（Ｓ４１）、制御部１３は、明るさセンサ１２の検出した明るさと所定の閾値とを比較し（Ｓ４２）、明るさの検出値が閾値と異なっていれば、明るさの検出値に基づいて反射光の明るさが上記閾値に一致するようにランプ１６の光出力を制御する（Ｓ４３）。そして、明るさの検出値が閾値に一致すれば、制御部１３はランプ１６を同じ光出力で点灯させ続け（Ｓ４４）、光出力確認コマンドの受信バッファを確認し（Ｓ４５）、光出力確認コマンドを受信したか否かを判定する（Ｓ４６）。ここで、通信部１８が親機２０から送信された光出力確認コマンドを受信すると、制御部１３は受信した光出力確認コマンドを受信バッファに保存するようになっており、受信バッファを確認することで、光出力確認コマンドを受信したか否かを判断できる。
【００４９】
Ｓ４６の判定の結果、光出力確認コマンドを受信していなければ、Ｓ４１に戻って上述の処理を繰り返す。
【００５０】
一方、光出力確認コマンドを受信していれば、制御部１３は、現在の光出力の出力レベルを示す光出力レベル返信信号を通信部１８から親機２０に対して返信させた後（Ｓ４７）、光出力指令コマンドの受信バッファを確認し（Ｓ４８）、光出力指令コマンドを受信したか否かを判定する（Ｓ４９）。ここで、通信部１８が親機２０から送信された光出力指令コマンドを受信すると、制御部１３は受信した光出力指令コマンドを受信バッファに保存するようになっており、受信バッファを確認することで、光出力指令コマンドを受信したか否かを判断できる。
【００５１】
そして、Ｓ４９の判定の結果、光出力指令コマンドを受信していなければ、Ｓ４７に戻って上述の処理を繰り返し、光出力指令コマンドの受信待ちを行う。一方、光出力指令コマンドを受信していれば、制御部１３は、光出力指令コマンドで指定された光出力でランプ１６を点灯させるような調光信号を点灯回路１５に出力して、ランプ１６を点灯させた後（Ｓ５０）、Ｓ４１に戻って上述の処理を繰り返す。
【００５２】
このように、本実施形態では夕方になって外光の影響が無くなった時点で、親機が各照明装置１０ａ…の現在の光出力を確認して、光出力の平均値で全ての照明装置１０ａ…を点灯させており、外光が存在する場合は図９（ａ）に示すように外光の影響を受けるゾーンＢの照明装置１０ｂと、影響を受けないゾーンＡ，Ｃの照明装置１０ａ，１０ｃとで光出力にばらつきが発生するが（図中のａは光出力を、ｂが被照射面の明るさを夫々示す）、図９（ｂ）に示すように外光がなくなった時点で一旦全ての照明装置１０ａ…の光出力を揃えた後に、明るさ制御を再開しているので、明るさ設定時と同じような状況になり、図９（ｃ）に示すように被照射面の照度を略一定に制御するとともに、天井面の輝度のばらつきを少なくできる。尚、図９（ｂ）（ｃ）中の点線は光出力を揃える前の各照明装置１０ａ…の光出力を示している。
【００５３】
尚、本実施形態では親機２０の内部タイマにより、夕方の外光が無くなった時刻にコマンド送信トリガを発生させているが、季節によって日没の時刻が変化するため、親機２０に昼光センサを設けて、昼光センサにより実際に外光がなくなったことを検出すると、コマンド送信トリガを発生させるようにしても良い。
【００５４】
また、本実施形態では親機２０の内部タイマにより、外光が無くなった時刻のみでコマンド送信トリガを発生させているが、内部タイマにより所定の時間間隔（例えば２時間間隔）でコマンド送信トリガを発生させるようにしても良く、親機２０が各照明装置１０ａ…の光出力を確認する回数が増えるので、各照明装置１０ａ…の光出力がばらついている場合には光出力を揃える処理の回数を増やすことで、被照射面の照度を略一定に制御するとともに、天井面の輝度のばらつきを少なくできる。
【００５５】
さらに、本実施形態では親機２０が光出力指令コマンドとして、各照明装置１０ａ…の光出力を現状の光出力の平均値に揃えるようなコマンドを送信しているが、光出力が最も明るい照明装置の光出力に揃えるようなコマンドを送信しても良く、視環境が暗いと利用者が感じることはなく、快適な照明環境が得られる。また、光出力指令コマンドとして、光出力が最も暗い照明装置の光出力に揃えるようなコマンドを送信しても良く、視環境に悪影響を及ぼさない範囲では各照明装置１０ａ…の消費電力を低減して、省エネを図ることができる。
【００５６】
ところで、上述した実施形態１〜４の照明システムでは、親機２０から全ての照明装置１０ａ…に対してコマンドを送信していたが、複数台の照明装置１０ａ…を、例えば窓側に設置されている窓側グループ、窓から離れた壁側に設置されている壁側グループなどの複数のグループにグループ分けして、各グループ毎に同期コマンドや光出力指令コマンドを送信して、グループ単位で計測期間の同期をとったり、光出力の出力レベルを揃えたりしても良く、各グループ毎に被照射面の照度を一定にしたり、天井面の輝度のばらつきを小さくできるから、よりきめ細かい制御を行えるという利点がある。また、実施形態４の照明システムでは所定のタイミングで各照明装置１０ａ…の光出力を揃えているが、光出力を揃えるタイミングによって、光出力を揃えるグループや、光出力を揃える際の出力レベルを変化させても良い。例えば、昼間に各照明装置１０ａ…の光出力を揃える場合は、窓側グループに属する照明装置１０ａ…には、光出力が最も暗い照明装置に光出力を揃えるような光出力指令コマンドを送信することで、省エネを実現でき、また夜間に各照明装置１０ａ…の光出力を揃える場合は、全てのグループの照明装置１０ａ…に対して、光出力を全体の平均値に揃えるような光出力指令コマンドを送信することで、被照射面の照度を略一定に制御するとともに、天井面の輝度のばらつきを少なくできる。
【００５７】
また更に、上述した実施形態１〜４の照明システムでは、照明装置１０ａ…に対して各種のコマンドを送信する親機２０を照明装置１０ａ…に設けているが、複数台の照明装置１０ａ…の内の１台に親機の機能を持たせて、実施形態１〜４で説明した親機の動作を行わせるようにしても良いことは言うまでもない。
【００５８】
【発明の効果】
上述のように、請求項１の発明は、ランプと、当該ランプからの光の被照射面による反射光の明るさを検出する明るさセンサと、明るさセンサの検出した明るさの検出値が所定の閾値よりも明るい場合はランプの光出力を暗くする調光信号を出力するとともに、明るさの検出値が閾値よりも暗い場合はランプの光出力を明るくする調光信号を出力する制御部と、調光信号に応じてランプを調光点灯させる点灯回路と、ネットワークを介して通信を行う通信部とをそれぞれ備えた複数台の照明装置、および、前記複数台の照明装置がネットワークを介して接続された親機で構成され、各照明装置による明るさの制御動作に、明るさセンサが反射光の明るさを検出する計測動作と、明るさの検出値を閾値と比較して両者が異なっている場合にランプの光出力を補正する補正動作とを設け、計測動作を行う計測期間と補正動作を行う補正期間の内、補正期間の時間帯を全ての照明装置で同じ時間帯とするとともに、親機から計測期間の同期をとるための同期コマンドを各照明装置に送信し、各照明装置は、通信部が同期コマンドを受信すると計測期間を開始することを特徴とし、各照明装置でランプの光出力を補正する期間がばらつくと、ある照明装置でランプの光出力を明るくした場合に、その光出力の影響を受けて、隣接する他の照明装置が光出力を暗くし、さらに隣接する他の照明装置の光出力の変化を受けてある照明装置が光出力をさらに明るくすることで、ランプの光出力すなわち天井面輝度がばらつくという問題があるが、全ての照明装置で補正期間の時間帯を同じ時間帯としているので、全ての照明装置でランプの光出力を一斉に補正させることができ、補正期間がばらつくことによって天井面輝度のばらつきが大きくなるのを低減できるという効果がある。
【００５９】
しかも、親機からの同期コマンドにより、各照明装置の間で計測期間の同期をとることができ、同じタイミングで明るさを検出し、その検出結果をもとにランプの光出力を補正することで、他の照明装置の光出力の変化による影響を受けにくくでき、各照明装置のランプの光出力、すなわち天井面輝度のばらつきを抑制できるという効果がある。
【００６０】
請求項２の発明は、請求項１の発明において、親機が同期コマンドを送信するタイミングは、親機で補正期間にかかる時間の限時が終了した時点、又は、親機で全ての照明装置の補正期間が完了したことを確認した時点の何れかであることを特徴とし、請求項１の発明と同様の効果がある。
【００６１】
請求項３の発明は、請求項１又は２の発明において、補正動作が終了した時点から次に同期コマンドを受信するまでの間に、明るさセンサにより反射光の明るさを検出し、その検出値が閾値と異なっている場合は制御部がランプの光出力を補正する補正監視期間を設けたことを特徴とし、補正動作が終了した時点から次に同期コマンドを受信するまでの間に補正監視期間を設け、この期間に明るさセンサの検出した明るさの検出値が閾値に一致するようにランプの光出力を補正しているので、補正期間において隣接する照明装置のランプの光出力が変化した場合に、光出力の変化にいち早く対応して、被照射面の照度が略一定で、天井面の輝度のばらつきを抑制した状態にいち早く収束させることができる。
【００６２】
請求項４の発明は、請求項１の発明において、親機は各照明装置のランプの光出力を監視し、光出力が最も明るい照明装置と最も暗い照明装置との光出力の差が所定の基準値よりも大きい場合は、光出力を同じレベルに揃えるための明るさ指令信号を各照明装置に送信し、各照明装置の制御部は、通信部が受信した明るさ指令信号に基づいてランプの光出力を制御することを特徴とし、親機から各照明装置に対して明るさ指令信号を送信することで、各照明装置のランプの光出力を同じレベルに揃えることができ、且つ、各照明装置では一旦同じレベルに制御してから明るさの制御動作を行っているので、天井面の輝度のばらつきをさらに小さくできるという効果がある。
【００６３】
請求項５の発明は、請求項４の発明において、親機が明るさ指令信号を送信するタイミングは、外光がなくなった時点、又は、所定の時間間隔が経過した時点の何れかであることを特徴とし、請求項４の発明と同様の効果を奏する。
【００６４】
請求項６の発明は、請求項４又は５の発明において、親機は、全ての照明装置を複数のグループにグループ分けして、一部のグループに属する照明装置のみに明るさ指令信号を送信することを特徴とし、グループ単位で明るさ指令信号を送信して、光出力を揃えることにより、よりきめ細かい制御が行えるという効果がある。
【００６５】
請求項７の発明は、請求項４乃至６の何れか１つの発明において、明るさ指令信号によって揃えるレベルは、各照明装置のランプの光出力の平均値、光出力が最も明るい照明装置の光出力、又は光出力が最も暗い照明装置の光出力の内の何れかであることを特徴とし、請求項４乃至６の発明と同様の効果がある。
【００６６】
請求項８の発明は、請求項４乃至７の何れか１つの発明において、親機は、全ての照明装置を複数のグループにグループ分けし、明るさ指令信号を送信するタイミングに応じて、明るさ指令信号を送信するグループおよび明るさ指令信号によって揃えるレベルを変更することを特徴とし、明るさ指令信号を送信するタイミングで、この信号を送信するグループや光出力のレベルを変更しているので、よりきめ細かい制御が行えるという効果がある。
【図面の簡単な説明】
【図１】  基本構成の照明システムを構成する照明装置のブロック図である。
【図２】  （ａ）（ｂ）は同上の動作を説明するタイムチャートである。
【図３】  同上の動作を説明するフローチャートである。
【図４】  実施形態１の照明システムのブロック図である。
【図５】  同上の動作を説明するフローチャートである。
【図６】  実施形態２の照明システムの動作を説明するフローチャートである。
【図７】  実施形態３の照明システムの動作を説明するフローチャートである。
【図８】  実施形態４の照明システムの動作を説明するフローチャートである。
【図９】  各ゾーンにおける被照射面の照度と各照明装置の光出力との関係を示し、（ａ）は光出力を揃える前の状態の説明図、（ｂ）は光出力を揃えた時点の説明図、（ｃ）は光出力を揃えた後に明るさ制御を行った状態の説明図である。
【図１０】  従来の照明装置のブロック図である。
【図１１】  同上の照明装置を１台だけ設置した状態の使用状態図である。
【図１２】  同上の照明装置を１フロアに３台設置した状態の使用状態図である。
【図１３】  同上の照明装置の単体の制御動作を説明するタイムチャートである。
【図１４】  同上の照明装置を１フロアに３台設置した状態の制御動作を説明するタイムチャートである。
【図１５】  同上の照明装置を１フロアに３台設置した状態の使用状態図である。
【符号の説明】
１０  照明装置
１２  明るさセンサ
１３  制御部
１５  点灯回路
１６  ランプ
【図１】
0003932966.tif 000002
【図２】
0003932966.tif 000003
【図３】
0003932966.tif 000004
【図４】
0003932966.tif 000005
【図５】
0003932966.tif 000006
【図６】
0003932966.tif 000007
【図７】
0003932966.tif 000008
【図８】
0003932966.tif 000009
【図９】
0003932966.tif 000010
【図１０】
0003932966.tif 000011
【図１１】
0003932966.tif 000012
【図１２】
0003932966.tif 000013
【図１３】
0003932966.tif 000014
【図１４】
0003932966.tif 000015
【図１５】
0003932966.tif 000016